(57)【特許請求の範囲】
【請求項１】
上開き中空部を有する石柱の上記中空部内に供花を起立状態に保つために供花の下部を保持する有底筒状の花立部を有する花立本体と、上記石柱に対し回止めされかつ上記花立本体の上方で花立本体の垂直中心線側へ偏倚し上記花立本体から上方へ起立して供花が上記垂直中心線周りに回ることを防止する花回動防止部と、上記偏倚により生ずる花回動防止部背後の空間に着脱自在に配置され花立本体の上端よりやや下側に下向きに開口しているノズルのみが外部へ開放した給水タンクとから成ることを特徴とする、自動給水式の墓用花立。
【請求項２】
花回動防止部を平板状に形成すると共に、その前面に供花の模様を設けた、請求項１に記載の自動給水式の墓用花立。
【発明の詳細な説明】
【０００１】
【発明の属する技術分野】
本発明は自動給水式の墓用花立に関する。
【０００２】
【従来の技術】
従来、例えば図４に示すような墓用花立１は広く採用されている。この花立１は、横断面４角形の石柱２の上端面を被いかつ鍔部３と４隅の爪４により石柱２に対し回止めされた着脱自在のカバー５と、このカバー５の中央の孔６に嵌合する花立部７を有しかつカバー５上に着脱自在に支持された花立本体８とを備えており、カバー５と花立本体８はステンレスまたは銅で形成されている。１０は供花、１１は水、１２は石柱２に予め設けてある上開きカップ形の中空部である。以前は中空部１２に供花１０を差し込むと共にその中に水を入れていたが、水の腐食、ぼうふらの発生、冬季の凍結による石柱２の破損、汚水除去などの清掃が困難・・・などの問題を解決し得る図４の墓用花立１が広く採用されてきたのである。
【０００３】
しかし、図４の墓用花立１によると、風により供花１０が回動して体裁がわるくなる恐れがあり、また、短期間の内に水１１の減少により供花１０が枯れる恐れがあった。
【０００４】
風による供花の回動を防止する対策としては、実開平５−２２７７７号「葬祭用花立ての付属具」が既に提案されており、そのものは、花立の横に起立した花の回転防止体を設け、この回転防止体の下端部を花立を囲む重量包囲体に固定したり、花立の上端部にクリップで固定したり、墓石上の支持基体に固定している。回転防止体としては、直立した棒の上端に円形部を設けたり、棒の下端近傍から縦長矩形状やハート形のループを起立させたり、逆３角形板を起立させたりしている。
しかし、それらの構造によると、回転防止体自体の回転防止構造がひ弱であるため、充分な回転防止機能の発揮を期待することは困難である。しかも、花立の清掃は困難であり、かつ花立の水の減少により花が枯れる恐れは残されている。
【０００５】
墓用花立に対する自動給水装置としては、実開昭５７−５０２７３号「墓の花立て自動給水器」、実開昭６２−１２０６６３号「墓所の花立における自動給水装置」が既に提案されており、それらのものは、墓石前部中央の、一般に供物台とされるべき部分に大きい水タンク（上端の給水口がねじ蓋で密封されている）を配置し、その水タンクの左右側面または前面左右の底部から側方に延びる給水管を下方へ湾曲させて左右の石柱形花立内の上端部に開放している。
ところが、これらの構造によると、墓正面の供物台が大きな水タンクで占領され、供物の置き場所がなくなる。しかも、体裁が悪くなるばかりでなく、花立への花の差し込み時に給水管が邪魔になり、給水管の位置の変動により所望の水位を保持することが困難である。また、花立の清掃は依然として困難である。
【０００６】
【発明が解決しようとする課題】
本発明は、風による供花の回動を確実に防止すると共に、花の差し込みに支障を与えることなく、また供物台のスペースに影響を与えることなく、自動給水を可能にするコンパクトな墓用花立を提供することを目的としている。
【０００７】
【課題を解決するための手段】
請求項１の発明は、上開き中空部を有する石柱の上記中空部内に保持される花立部を有する花立本体と、上記石柱に対し回止めされかつ上記花立本体の上方で花立本体の中心側へ偏倚して起立する花回動防止部と、上記偏倚により生ずる花回動防止部背後の空間に着脱自在に配置され花立本体内へ向かうノズルのみが外部へ開放した給水タンクとから成ることを特徴とする、自動給水式の墓用花立である。
【０００８】
請求項２の発明は、花回動防止部を平板状に形成すると共に、その前面に供花の模様を設けた、請求項１に記載の自動給水式の墓用花立である。
【０００９】
【発明の実施の形態】
図１は、本発明による墓用花立１５の一例（３ピース式）を示す側面図で、図４中の符号と同一符号は対応部分である。石柱２の上端面上に載置されているカバー５の上壁部１６は、花立部７の外径より前後方向（図１の左右方向）に長い長孔１７を備え、上壁部１６の右端から垂直な壁部１８が一体に起立し、壁部１８の上端からは花立本体８の上端縁部１９を迂回するように、水平な壁部２０と垂直な壁部２１と水平な棚部２２が一体に延び、この棚部２２は壁部１８よりも花立本体８の中心線Ｃ側前方へ張り出し（偏倚し）、そこから垂直な花回動防止部２３が一体かつ上方に延びている。上記の偏倚は、花立部７に差し込んだ供花１０の上部に、その背後から花回動防止部２３が当接して、供花１０に風が当たった場合にも、供花１０の差込み当初の好ましい姿勢が長期間保持できるように（供花１０が回動しないように）するためと、後述する給水タンク２５による全体のバランスの崩れを少なくする上でも機能しており、花回動防止部２３が供花１０に対して常時当接するように花立本体８の中心線Ｃ側へ寄せることを意味している。
【００１０】
上記の偏倚により花回動防止部２３の背後（図１の右側）にできた空間に給水タンク２５が配置されている。図示の給水タンク２５は樹脂のブロー成型品の本体の底壁に設けた給水口２６に同じく樹脂製のノズル２７が液密状に螺合し、このノズル２７は棚部２２に明けた孔２８を貫通して花立本体８の上端よりやや下側に下向きに開口している。また、図示の給水タンク２５の底壁は棚部２２上に当接支持されている。棚部２２上における給水タンク２５の安定を向上させるために、壁部２１にタンク２５を保持し得るステー２９を設けることは好ましい。また、花回動防止部２３の背面に、例えば２個（紙面の表側と裏側）のステー３０を設け、これらのステー３０により給水タンク２５を保持するようにしてもよい。その場合は、ノズル２７が２７ａのように長く形成される。
【００１１】
図１のII矢視前面を示す図２において、花回動防止部２３には、蓮の花３２、葉３３、つぼみ３４のような、供花としてふさわしいカラーの模様が付されている。
【００１２】
図１の墓用花立１５を石柱２に装着する際には、例えば予め石柱２にカバー５（給水タンク２５を載せていないもの）を被せておき、長孔１７を利用して花立本体８を上方が図１の左方となるように傾斜させた状態で花立部７を長孔１７に嵌めて上端縁部１９を図１のように棚部２２の下側に収容させる。その後水１１を入れ、満水状態の給水タンク２５を図１の姿勢まで逆転させて棚部２２上に置き、ノズル２７を孔２８から下方へ突出させる。花立部７を利用して供花１０を差し込み、供花１０を花回動防止部２３に押し当てて好ましい姿勢に整える。この好ましい姿勢は、風が吹いても花回動防止部２３が供花１０を保持しているために長期間保持される。
【００１３】
水１１が花に吸われて水面がノズル２７の下端面より低下すると、ノズル２７を通して空気が給水タンク２５内に入り、給水タンク２５内の水が流下し、その動作は水１１がノズル２７の下端面を塞ぐまで継続し、このようにして水１１のレベルは常時一定に保持される。
【００１４】
図３の３３は本発明による２ピース式の実施例（墓用花立）を示しており、石柱２に鍔部３で嵌合するカバー５が花立本体８と一体化しており、花立本体８の上面後側にはステー部２９ａを有する棚部２２が固着されている。この構造によると、花回動防止部２３はカバー５を一体に有する花立本体８を介して石柱２に対して回止めされているので、部品点数が減り、カバー５、花立本体８、花回動防止部２３を樹脂で一体成型してコストダウンと軽量化を図ることも可能となる。更に、図３に実線で示す墓用花立３３からカバー５を廃止して、花立本体８に中空部１２の内面に嵌合して花立本体８の回動を阻止するための多数の縦方向スリット付きの弾性噛合体３４（自由状態は３４ａ）を一体に設けることもできる。その場合は、石柱２の水平断面を円形、多角形、その他の形状ともし得る。図示の花立本体８の代わりに、花立部７の上端から上方へ行くに連れて拡開する８ａのような単純な形状のものも採用可能である。
【００１５】
なお、花回動防止部２３として、図２に示した平板状のものの外縁に滑らかな凹凸部３７を設けると、外観向上の面から好ましい。また、平板状の花回動防止部２３の代わりに、網目３８または多数の小孔を有する板状体を採用すると、花３２などの模様の鮮明さは多少低下するが、軽量化が図れると共に、風による影響を減して花立の傾斜防止効果を高め得る利点が生ずる。更に、逆Ｕ形のワイヤー３９を多数起立させて板状の花回動防止部を形成することも可能である。その場合も、軽量化と風による影響低減効果を期待することができる。花回動防止部２３の前面に前方へ向かう多数の突起または突条（共に図示せず）を設けると、供花背面に対する保持機能が増大し、供花に対する回動防止効果が向上する。花回動防止部２３は図１、図３のような平板状の他に、供花へ向かい凹状であってもよく、また、供花の背面形状に沿わせるべく上方へ行くに連れて後退するように傾斜していてもよい。その場合も、花回動防止効果が増し、給水タンクの形状を花回動防止部背後の空間に合わせて変えることにより給水タンクの容量を増しかつバランスの崩れを回避することも容易になる。墓石本体の左右前部に花立用の中空部１２を形成しているものにおいては、その中空部の形成されている墓石本体部分が本発明の石柱に対応する部材である。また、本発明を適用する場合の石柱２の中空部１２は有底である必要はない。更に、本発明による墓用花立は、全体または一部を樹脂化して、軽量化とコストダウンを図ることができる。給水タンク２５の前面に吸盤（図示せず）を装着し、この吸盤により給水タンクを花回動防止部２３に固着させることも可能である。
【００１６】
【発明の効果】
請求項１の発明によると、花回動防止部２３が花立本体８の中心側へ偏倚して設けられていることにより花回動防止部２３の背後に生ずる空間を利用して、そこに給水タンク２５を配置したので、給水タンク２５の容量をかなり大きくしても花立全体のバランスを保持しやすく、しかも給水タンク２５が供花１０で隠れるようにして好ましい体裁を保つことができ、上記偏倚と石柱２に対する回り止めにより花回動防止部２３による花回動防止効果を長期間確保し得る利点が生ずる。風による供花の回動を確実に防止できると共に、花の差し込みに支障を与えることなく、また供物台のスペースに影響を与えることなく、自動給水を可能にするコンパクトな墓用花立を得ることができる。
【００１７】
請求項２の発明によると、供花１０が無い場合にも、あたかも供花があるような雰囲気を作ることができ、墓が寂しくなることを可及的に防止し得る。
【図面の簡単な説明】
【図１】  本発明による墓用花立の側面図である。
【図２】  図１のII矢視正面部分図である。
【図３】  別の実施例を示す側面図である。
【図４】  従来公知の花立の側面図である。
【符号の説明】
２            石柱
７            花立部
８            花立本体
１５          墓用花立
２３          花回動防止部
２５          給水タンク
２７          ノズル
３２          花（供花の模様）
３３          葉（供花の模様）
Ｃ            中心線
【図１】
0003927841.tif 000002
【図２】
0003927841.tif 000003
【図３】
0003927841.tif 000004
【図４】
0003927841.tif 000005